(57)【特許請求の範囲】
【請求項１】
対象者の睡眠の質に関する睡眠質データを取得する睡眠質データ取得部と、
前記対象者の睡眠の質への影響因子に関する影響因子データを取得する影響因子データ取得部と、
前記睡眠質データ取得部で取得された前記睡眠質データ及び前記影響因子データ取得部で取得された前記影響因子データを分析することにより、前記影響因子データの各項目と前記睡眠質データとの関連性に関する関連性データを作成すると共に前記睡眠質データに対する前記影響因子データの各項目の寄与率を算出する分析部と、
前記関連性データ及び前記寄与率に基づいて前記対象者の睡眠の質を向上させるためのアドバイスを生成するアドバイス生成部と、
前記アドバイス生成部で生成された前記アドバイスを前記対象者へ提供するアドバイス提供装置と、
を具備し、
前記分析部は、前記影響因子データの各項目に対する前記対象者の希望条件に合致するときの前記睡眠質データ及び前記影響因子データを抽出して、抽出した前記睡眠質データ及び前記影響因子データに基づいて前記関連性データを作成すると共に前記寄与率を算出する、
睡眠アドバイスシステム。
【請求項２】
前記分析部は、
前記影響因子データ取得部で取得された前記影響因子データの各項目を正規化し、
正規化された前記影響因子データの各項目の値を用いて前記睡眠質データを重回帰分析することにより、前記寄与率を算出する、
請求項１に記載の睡眠アドバイスシステム。
【請求項３】
前記アドバイス生成部は、前記寄与率のより大きい前記影響因子データの項目について優先的に前記アドバイスを生成する、
請求項１又は請求項２に記載の睡眠アドバイスシステム。
【請求項４】
前記影響因子データは、前記対象者の睡眠環境に関する睡眠環境データを含む、
請求項１から請求項３までのいずれか一項に記載の睡眠アドバイスシステム。
【請求項５】
前記アドバイス生成部は、前記睡眠質データが最も優れているときの前記睡眠環境データの値について前記アドバイスを生成する、
請求項４に記載の睡眠アドバイスシステム。
【請求項６】
前記影響因子データは、前記対象者の生活行動に関する生活行動データを含む、
請求項１から請求項５までのいずれか一項に記載の睡眠アドバイスシステム。
【請求項７】
前記分析部は、前記睡眠質データの特定の項目及び前記影響因子データに基づいて前記関連性データを作成すると共に前記寄与率を算出する、
請求項１から請求項６までのいずれか一項に記載の睡眠アドバイスシステム。
【請求項８】
前記アドバイスに沿って睡眠環境を制御する睡眠環境制御部を具備する、
請求項１から請求項７までのいずれか一項に記載の睡眠アドバイスシステム。
【発明の詳細な説明】
【技術分野】
【０００１】
本発明は、睡眠に関するアドバイスを提供する睡眠アドバイスシステムの技術に関する。
【背景技術】
【０００２】
従来、睡眠に関するアドバイスを提供する睡眠アドバイスシステムの技術は公知となっている。例えば、特許文献１に記載の如くである。
【０００３】
特許文献１には、生体データを入力する生体データ入力部と、前記生体データ入力部から入力された生体データを用いて睡眠状態の判定を行う睡眠状態算出部と、前記睡眠状態の判定の結果となっている要因を判定する要因判定部とを具備する睡眠改善支援装置が記載されている。前記要因判定部は、睡眠環境データや問診データ等を用いて前記要因を判定する。
【０００４】
しかしながら、特許文献１に記載の技術においては、睡眠環境データや問診データ等のどの項目が睡眠状態に大きな影響を与えているかが不明確であるため、対象者に適した効果的な睡眠に関するアドバイスを提供しているとはいえなかった。
【先行技術文献】
【特許文献】
【０００５】
【特許文献１】特開２０１４−３９５８６号公報
【発明の概要】
【発明が解決しようとする課題】
【０００６】
本発明は以上の如き状況に鑑みてなされたものであり、その解決しようとする課題は、対象者に適した効果的な睡眠に関するアドバイスを提供することができる睡眠アドバイスシステムを提供することである。
【課題を解決するための手段】
【０００７】
本発明の解決しようとする課題は以上の如くであり、次にこの課題を解決するための手段を説明する。
【０００８】
即ち、請求項１においては、対象者の睡眠の質に関する睡眠質データを取得する睡眠質データ取得部と、前記対象者の睡眠の質への影響因子に関する影響因子データを取得する影響因子データ取得部と、前記睡眠質データ取得部で取得された前記睡眠質データ及び前記影響因子データ取得部で取得された前記影響因子データを分析することにより、前記影響因子データの各項目と前記睡眠質データとの関連性に関する関連性データを作成すると共に前記睡眠質データに対する前記影響因子データの各項目の寄与率を算出する分析部と、前記関連性データ及び前記寄与率に基づいて前記対象者の睡眠の質を向上させるためのアドバイスを生成するアドバイス生成部と、前記アドバイス生成部で生成された前記アドバイスを前記対象者へ提供するアドバイス提供装置と、を具備し、前記分析部は、前記影響因子データの各項目に対する前記対象者の希望条件に合致するときの前記睡眠質データ及び前記影響因子データを抽出して、抽出した前記睡眠質データ及び前記影響因子データに基づいて前記関連性データを作成すると共に前記寄与率を算出するものである。
【０００９】
請求項２においては、前記分析部は、前記影響因子データ取得部で取得された前記影響因子データの各項目を正規化し、正規化された前記影響因子データの各項目の値を用いて前記睡眠質データを重回帰分析することにより、前記寄与率を算出するものである。
【００１０】
請求項３においては、前記アドバイス生成部は、前記寄与率のより大きい前記影響因子データの項目について優先的に前記アドバイスを生成するものである。
【００１１】
請求項４においては、前記影響因子データは、前記対象者の睡眠環境に関する睡眠環境データを含むものである。
【００１２】
請求項５においては、前記アドバイス生成部は、前記睡眠質データが最も優れているときの前記睡眠環境データの値について前記アドバイスを生成するものである。
【００１３】
請求項６においては、前記影響因子データは、前記対象者の生活行動に関する生活行動データを含むものである。
【００１５】
請求項７においては、前記分析部は、前記睡眠質データの特定の項目及び前記影響因子データに基づいて前記関連性データを作成すると共に前記寄与率を算出するものである。
【００１６】
請求項８においては、前記アドバイスに沿って睡眠環境を制御する睡眠環境制御部を具備するものである。
【発明の効果】
【００１７】
本発明の効果として、以下に示すような効果を奏する。
【００１８】
請求項１においては、対象者に適した効果的な睡眠に関するアドバイスを提供することができる。また、対象者の希望条件に合ったアドバイスを提供することができる。
【００１９】
請求項２においては、より的確なアドバイスを提供することができる。
【００２０】
請求項３においては、より効果的なアドバイスを提供することができる。
【００２１】
請求項４においては、睡眠環境に関するアドバイスを提供することができる。
【００２２】
請求項５においては、睡眠質データに対する睡眠環境データの最適値を提供することができる。
【００２３】
請求項６においては、生活行動に関するアドバイスを提供することができる。
【００２５】
請求項７においては、睡眠質データの特定の項目についてのアドバイスを提供することができる。
【００２６】
請求項８においては、アドバイスの実行を補助及び促進することができる。
【図面の簡単な説明】
【００２７】
【図１】本発明の一実施形態に係る睡眠アドバイスシステムの構成を示す図。
【図２】生活行動データ、睡眠環境データ及び睡眠質データの蓄積に関するフローチャート。
【図３】本発明の一実施形態に係る睡眠アドバイスシステムの制御を示すフローチャート。
【図４】データテーブルの一例を示す図。
【図５】寄与率算出フローを示すフローチャート。
【図６】睡眠アドバイス（睡眠環境用アドバイス）の一例を示す図。
【図７】睡眠アドバイス（生活行動用アドバイス）の一例を示す図。
【図８】本発明の第二実施形態及び第三実施形態に係る睡眠アドバイスシステムの構成を示す図。
【図９】本発明の第二実施形態に係る睡眠アドバイスシステムの制御を示すフローチャート。
【図１０】第二実施形態におけるデータテーブルの一例を示す図。
【図１１】本発明の第三実施形態に係る睡眠アドバイスシステムの制御を示すフローチャート。
【図１２】第三実施形態におけるデータテーブルの一例を示す図。
【発明を実施するための形態】
【００２８】
以下では、図１を用いて、本発明の一実施形態に係る睡眠アドバイスシステム１の構成の概要について説明する。
【００２９】
睡眠アドバイスシステム１は、対象者の睡眠の質（睡眠質）を向上させるためのアドバイス（以下、睡眠アドバイスと称す）を、当該対象者に提供するものである。睡眠アドバイスシステム１は、睡眠環境データ取得装置１０、生活行動データ取得装置２０、睡眠質データ取得装置３０、アドバイス提供装置４０、睡眠環境制御装置５０及びサーバー１００を具備する。
【００３０】
睡眠環境データ取得装置１０は、対象者の睡眠時の環境（以下、睡眠環境と称す）に関する睡眠環境データを測定するものである。「睡眠環境データ」には、睡眠質に影響を与える（睡眠質への影響因子となる）可能性があると考えられる、睡眠時における種々の条件（項目）を含めることができる。睡眠環境データの項目としては、対象者の睡眠時の室温、湿度、照度、気圧、騒音、天気、匂い、就寝時刻、起床時刻等を例示することができる。なお、「睡眠時」には、寝つき時、睡眠中及び起床時が含まれる。また、室温、湿度、照度、気圧、騒音等の数値には、平均値、最大値及び最小値が含まれる。睡眠環境データ取得装置１０としては、例えば、温度計、湿度計、照度計を使用することができ、睡眠環境データ取得装置１０は、睡眠環境データを測定することにより、当該睡眠環境データを取得する。
【００３１】
生活行動データ取得装置２０は、対象者の日々の生活における行動（以下、生活行動と称す）に関する生活行動データを取得するものである。「生活行動データ」には、睡眠質に影響を与える（睡眠質への影響因子となる）可能性があると考えられる、日々の生活における種々の条件（項目）を含めることができる。生活行動データの項目としては、入浴の有無、飲酒の有無、運動の有無、ストレスの大きさ、食事の内容、聴いた音楽の種類、寝具の種類、寝間着の種類、生理の有無等を例示することができる。生活行動データ取得装置２０としては、例えば、パーソナルコンピューター、携帯電話、スマートフォン、タブレット端末、ウェアラブル端末を使用することができ、生活行動データ取得装置２０は、対象者によって自身に生活行動データが入力されることにより、又は生活行動データを測定することにより、当該生活行動データを取得する。
【００３２】
なお、睡眠環境データ及び生活行動データの項目は、実際に睡眠質に影響を与えるものに限定されるわけではなく、実際に睡眠質に影響を与えるか否かは、後述するサーバー１００の分析部１４０で分析（判定）される。
【００３３】
睡眠質データ取得装置３０は、対象者の睡眠質に関する睡眠質データを測定するものである。「睡眠質データ」には、睡眠質の良し悪しを表す種々の条件（項目）を含めることができる。睡眠質データは、睡眠質を客観的に評価するデータ（以下、客観睡眠質データと称す）と、睡眠質を主観的に評価するデータ（以下、主観睡眠質データと称す）とに分類することができる。客観睡眠質データとしては、寝つきに要した時間、睡眠の深さ、中途覚醒の回数等を例示することができる。主観睡眠質データとしては、対象者が感じる目覚めの良さ、熟睡感、日中の眠気等を例示することができる。睡眠質データ取得装置３０は、客観睡眠質データを取得する客観睡眠質データ取得装置３１、及び主観睡眠質データを取得する主観睡眠質データ取得装置３２を含むものである。
【００３４】
客観睡眠質データ取得装置３１は、睡眠の深さ等の客観睡眠質データを測定することにより、当該客観睡眠質データを取得する。客観睡眠質データ取得装置３１としては、例えば睡眠ポリグラフィ装置を使用することができる。当該睡眠ポリグラフィ装置は、対象者の睡眠時の脳波、筋電、眼電等の身体情報を検出して、レム睡眠／ノンレム睡眠といった睡眠状態を判定する。睡眠ポリグラフィ装置は、この判定に基づいて、寝つきに要した時間、睡眠の深さ、中途覚醒の回数等の客観睡眠質データを取得することができる。
【００３５】
主観睡眠質データ取得装置３２は、対象者によって目覚めの良さ等の主観睡眠質データが入力されることにより、当該主観睡眠質データを取得する。主観睡眠質データ取得装置３２としては、例えば、パーソナルコンピューター、携帯電話、スマートフォン、タブレット端末、ウェアラブル端末を使用することができる。
【００３６】
アドバイス提供装置４０は、対象者へ睡眠アドバイスを提供するものである。アドバイス提供装置４０としては、例えばパーソナルコンピューター、携帯電話、スマートフォン、タブレット端末、ウェアラブル端末、テレビ、スピーカー、ミラー型ディスプレイが用いられる。アドバイス提供装置４０は、睡眠環境データ取得装置１０で取得された睡眠環境データ、生活行動データ取得装置２０で取得された生活行動データ、及び睡眠質データ取得装置３０で取得された睡眠質データに基づいて、対象者へ睡眠アドバイスを提供する。睡眠アドバイスの詳細については後述する。
【００３７】
睡眠環境制御装置５０は、対象者の睡眠環境を制御するものである。睡眠環境制御装置５０は、アドバイス提供装置４０で提供される睡眠アドバイスの内容に沿って、室温、湿度、照度、気圧、騒音、匂い等の睡眠環境を制御するように構成される。睡眠環境制御装置５０としては、例えば、照明器具、エアコン、窓やカーテンの自動開閉装置、スピーカー、アロマディフューザーが用いられる。睡眠環境制御装置５０は、例えば、対象者の睡眠が浅い場合には、睡眠を深くする効果を期待して照明の照度を暗くするように制御することができる。
【００３８】
サーバー１００は、データの蓄積や分析等を行うものである。サーバー１００は、睡眠環境データ取得装置１０、生活行動データ取得装置２０、睡眠質データ取得装置３０、アドバイス提供装置４０及び睡眠環境制御装置５０に接続される。サーバー１００は、睡眠環境データ蓄積部１１０、生活行動データ蓄積部１２０、睡眠質データ蓄積部１３０、分析部１４０及びアドバイス生成部１５０を具備する。
【００３９】
睡眠環境データ蓄積部１１０は、睡眠環境データ取得装置１０で取得された睡眠環境データを蓄積するものである。
【００４０】
生活行動データ蓄積部１２０は、生活行動データ取得装置２０で取得された生活行動データを蓄積するものである。
【００４１】
睡眠質データ蓄積部１３０は、睡眠質データ取得装置３０で取得された睡眠質データを蓄積するものである。具体的には、睡眠質データ蓄積部１３０は、客観睡眠質データ取得装置３１で取得された客観睡眠質データと、主観睡眠質データ取得装置３２で取得された主観睡眠質データとを蓄積する。
【００４２】
分析部１４０は、データの分析を行うものである。具体的には、分析部１４０は、睡眠環境データ取得装置１０で取得された睡眠環境データ、生活行動データ取得装置２０で取得された生活行動データ、及び睡眠質データ取得装置３０で取得された睡眠質データに基づいて、睡眠質データと睡眠環境データ及び生活行動データとの関連性を分析する。より具体的には、分析部１４０は、睡眠環境データ及び生活行動データの各項目（室温や飲酒の有無等）と睡眠質データとの関連性（前記各項目がそれぞれ睡眠質データに与える影響）に関する関連性データを作成すると共に、睡眠質データに対する睡眠環境データ及び生活行動データの各項目の寄与率（睡眠質データに与える影響の度合い）を算出する。
【００４３】
アドバイス生成部１５０は、対象者の睡眠質を向上させるための睡眠アドバイスを生成するものである。アドバイス生成部１５０は、分析部１４０によって作成された関連性データ及び分析部１４０によって算出された寄与率に基づいて、睡眠アドバイスを作成する。アドバイス生成部１５０は、例えば、推奨睡眠環境（推奨室温、推奨就寝時刻等）、及び推奨生活行動（入浴した方が良い、運動した方が良い等）に関する睡眠アドバイスを作成する。
【００４４】
以下、図２を参照して、睡眠アドバイスシステム１における生活行動データ、睡眠環境データ及び睡眠質データの蓄積に関する具体的な流れを説明する。以下の説明においては、ステップＳ１１及びステップＳ１２は就寝前、ステップＳ１３及びステップＳ１４は睡眠時、ステップＳ１５及びステップＳ１６は起床後になされることを前提としているが、実際にデータが蓄積されるタイミングは適宜変更できる。
【００４５】
ステップＳ１１において、生活行動データ取得装置２０は、対象者の生活行動データを取得する。本実施形態においては、対象者は、当日の就寝前（睡眠の前）に入浴したか否か（入浴の有無）、飲酒したか否か（飲酒の有無）、及び運動したか否か（運動の有無）を生活行動データ取得装置２０に入力する。
【００４６】
ステップＳ１２において、生活行動データ取得装置２０によって取得された生活行動データは、サーバー１００に送信され、サーバー１００の生活行動データ蓄積部１２０に格納される。
【００４７】
ステップＳ１３において、睡眠環境データ取得装置１０は、対象者の睡眠環境データを取得する。本実施形態においては、睡眠環境データ取得装置１０は、対象者の睡眠時の室温、湿度及び照度を測定し、取得する。また、客観睡眠質データ取得装置３１は、対象者の客観睡眠質データを取得する。本実施形態においては、客観睡眠質データ取得装置３１は、対象者の睡眠の深さ及び寝つき時間を測定し、取得する。
【００４８】
ステップＳ１４において、睡眠環境データ取得装置１０によって取得された睡眠環境データは、サーバー１００に送信され、サーバー１００の睡眠環境データ蓄積部１１０に格納される。また、客観睡眠質データ取得装置３１によって取得された客観睡眠質データは、サーバー１００に送信され、サーバー１００の睡眠質データ蓄積部１３０に格納される。
【００４９】
ステップＳ１５において、主観睡眠質データ取得装置３２は、対象者の主観睡眠質データを取得する。本実施形態においては、対象者は、対象者自身が感じた目覚めの良さや熟睡感を点数化して、主観睡眠質データ取得装置３２に入力する。
【００５０】
ステップＳ１６において、主観睡眠質データ取得装置３２によって取得された主観睡眠質データは、サーバー１００に送信され、サーバー１００の睡眠質データ蓄積部１３０に格納される。
【００５１】
ステップＳ１１からステップＳ１６までを１日ごとに繰り返すことにより、生活行動データ蓄積部１２０には生活行動データの履歴が蓄積され、睡眠環境データ蓄積部１１０には睡眠環境データの履歴が蓄積され、睡眠質データ蓄積部１３０には睡眠質データ（客観睡眠質データ及び主観睡眠質データ）の履歴が蓄積される。
【００５２】
以下、図３から図７を参照して、睡眠アドバイスの提供に係る制御について説明する。なお、以下の説明においては、ステップＳ１１からステップＳ１６までの処理が既になされ、生活行動データ蓄積部１２０には生活行動データの履歴が蓄積され、睡眠環境データ蓄積部１１０には睡眠環境データの履歴が蓄積され、睡眠質データ蓄積部１３０には睡眠質データの履歴が蓄積された状態とする。また、以下の説明においては、ステップＳ１１０からステップＳ１３０までは就寝前、ステップＳ１４０は睡眠時になされることを前提としているが、実際に処理がなされるタイミングは適宜変更できる。
【００５３】
ステップＳ１１０において、分析部１４０は、生活行動データ蓄積部１２０に蓄積された生活行動データの履歴、睡眠環境データ蓄積部１１０に蓄積された睡眠環境データの履歴、及び睡眠質データ蓄積部１３０に蓄積された睡眠質データの履歴を用いて、図４に示すデータテーブルを作成する。データテーブルには、睡眠環境データとして、対象者の睡眠時の室温、湿度及び照度が入力される。また、データテーブルには、生活行動データとして、入浴の有無、飲酒の有無及び運動の有無が入力される。また、データテーブルには、客観睡眠質データとして、対象者の睡眠の深さ及び寝つき時間が入力される。当該客観睡眠質データは、所定の指標によって点数化されて（客観睡眠質点数として）入力される。また、データテーブルには、主観睡眠質データとして、対象者自身が感じた目覚めの良さや熟睡感が点数化されて（主観睡眠質点数として）入力される。そして、データテーブルには、睡眠質点数として、客観睡眠質点数と主観睡眠質点数の平均値が入力される。
【００５４】
なお、対象者の睡眠時の室温、湿度及び照度としては、平均値を採用することができるが、最大値や最小値を採用してもよい。また、対象者の睡眠時の室温、湿度及び照度は、寝つき時、睡眠中及び起床時に分けて、データテーブルに入力されてもよい。
【００５５】
ステップＳ１２０において、分析部１４０は、図５に示す寄与率算出フローにより、睡眠環境データ及び生活行動データの各項目（室温や飲酒の有無等）と睡眠質データとの関連性（前記各項目がそれぞれ睡眠質データに与える影響）に関する関連性データを作成すると共に、睡眠質データに対する睡眠環境データ及び生活行動データの各項目の寄与率（睡眠質データに与える影響の度合い）を算出する。
【００５６】
以下、図５を参照して、ステップＳ１２０における寄与率算出フローについて説明する。
【００５７】
ステップＳ１２１において、分析部１４０は、データテーブルの睡眠環境データ及び生活行動データの各項目を正規化する。具体的には、平均が０、分散が１となるよう各項目を正規化する。
【００５８】
ステップＳ１２２において、分析部１４０は、正規化した項目を用いて睡眠質点数を重回帰分析する。具体的には、睡眠質点数を目的変数、睡眠環境データ及び生活行動データの各項目を説明変数として重回帰分析を行う。
【００５９】
ステップＳ１２３において、分析部１４０は、各項目（説明変数）の係数の絶対値から、睡眠質点数に対する各項目の寄与率を算出する。
【００６０】
再び、図３を参照する。ステップＳ１３０において、アドバイス生成部１５０は、分析部１４０で作成された関連性データ及び分析部１４０で算出された寄与率に基づいて、睡眠アドバイスを作成する。以下、睡眠アドバイスについて具体的に説明する。
【００６１】
アドバイス生成部１５０は、睡眠質データ（睡眠質点数）に対する睡眠環境データの各項目の影響度（寄与率）の分析結果、及び睡眠環境データの各項目と睡眠質データとの関連性を示す睡眠環境用アドバイスを作成する（図６参照）。図６に示す睡眠環境用アドバイスにおいては、睡眠質点数に対する睡眠環境データの各項目の影響度（寄与率）が円グラフで表され、占める面積が大きい項目が寄与率が大きい（即ち、睡眠質に与える影響が大きい）ことを示している。図６に示す円グラフは、睡眠時の室温が睡眠質に最も大きな影響を与えていることを示している。
【００６２】
アドバイス生成部１５０は、寄与率の大きな項目について優先的に文字や音声でアドバイスを生成する。具体的には、アドバイス生成部１５０は、睡眠環境データの各項目のうち最も寄与率の大きな項目、又は寄与率の大きな順に並べたときに上位の複数の項目についてアドバイスを生成する。図６に示す睡眠環境用アドバイスにおいては、文字や音声で「あなたは室温に最も影響を受けやすいようです」等のアドバイスを生成する。
【００６３】
また、図６に示す睡眠環境用アドバイスにおいては、室温と睡眠質との関連性が折れ線グラフで表される。図６に示す折れ線グラフにおいて、横軸は室温を表しており、縦軸は睡眠質の点数を表している。図６に示す折れ線グラフは、対象者は、室温が２６．０℃のときに最も質の良い睡眠を得られることを示している。また、アドバイス生成部１５０は、睡眠質点数が最も高いとき（つまり、睡眠質に最も良い影響を与えるとき）の室温の値について優先的に文字や音声でアドバイスを生成する。図６に示す睡眠環境用アドバイスにおいては、文字や音声で「あなたは２６．０℃のときに最もよく眠れています」等のアドバイスを生成する。
【００６４】
また、アドバイス生成部１５０は、睡眠質点数に対する生活行動の寄与率の分析結果を示す生活行動用アドバイスを作成する（図７参照）。図７に示す生活行動用アドバイスにおいては、前記寄与率が棒グラフで表され、棒グラフの長さが長い項目が寄与率が大きい（即ち、睡眠質に与える影響が大きい）ことを示している。また、図７に示す棒グラフは、右側に延びるほど睡眠質に良い影響を与えており、左側に延びるほど睡眠質に悪い影響を与えていることを示している。具体的には、図７に示す棒グラフは、入浴が睡眠質に最も大きな良い影響を与えていることを示しており、飲酒が睡眠質に最も大きな悪い影響を与えていることを示している。
【００６５】
アドバイス生成部１５０は、寄与率の大きな項目について優先的に文字や音声でアドバイスを生成する。具体的には、アドバイス生成部１５０は、生活行動データの各項目のうち最も睡眠質に良い影響を与える項目、最も睡眠質に悪い影響を与える項目、又は寄与率の大きな順に並べたときに上位の複数の項目についてアドバイスを生成する。図７に示す生活行動用アドバイスにおいては、文字や音声で「あなたは入浴するとよく眠れています」、「お酒は睡眠に悪影響を与えています」等のアドバイスを生成する。
【００６６】
アドバイス生成部１５０で生成された睡眠アドバイスは、アドバイス提供装置４０によって対象者に提供される。アドバイス提供装置４０がスマートフォンやタブレット端末である場合には、当該アドバイス提供装置４０に図６に示す睡眠環境用アドバイス及び図７に示す生活行動用アドバイスが表示される。また、図６に示す睡眠環境用アドバイスにおいては、寄与率を表す円グラフの「室温」が占める領域をタップすると、室温と睡眠質との関連性を表す折れ線グラフが表示される。
【００６７】
これにより、対象者は、睡眠環境データ及び生活行動データのどの項目が睡眠質に大きな影響を与えているかを知ることができる。また、対象者は、室温等の睡眠環境データの項目については、睡眠質に最も良い影響を与えるときの値（最適値）を知ることができる。
【００６８】
ステップＳ１４０において、睡眠環境制御装置５０は、アドバイス生成部１５０で生成された睡眠アドバイスの内容に沿って、当該睡眠アドバイスの内容に沿って、室温、湿度、照度等の睡眠環境を制御する。睡眠環境制御装置５０は、所定時刻に又は睡眠アドバイスが提供されてから所定の時間経過後に自動で睡眠環境を制御してもよく、或いは対象者が操作することにより睡眠環境を制御してもよい。睡眠環境制御装置５０は、例えば、２６℃になるように室温を制御する。
【００６９】
このように、本実施形態に係る睡眠アドバイスシステム１においては、対象者ごとに睡眠環境や生活行動が睡眠質に実際にどのような影響を与えるかを分析し、その分析結果に基づいて対象者へ睡眠アドバイスを提供する。睡眠環境や生活行動が睡眠質に与える影響は対象者それぞれで異なるが、本実施形態に係る睡眠アドバイスシステム１は前述の如く構成されているため、対象者に適した効果的な睡眠アドバイスを当該対象者へ提供することができる。
【００７０】
また、本実施形態に係る睡眠アドバイスシステム１においては、睡眠質に対する寄与率が大きい項目についてアドバイスを行う。よって、対象者は、睡眠に関して特に気をつけるべき点を把握することができ、ひいては睡眠質の向上を促進することができる。
【００７１】
以上の如く、本実施形態に係る睡眠アドバイスシステム１は、対象者の睡眠の質に関する睡眠質データを取得する睡眠質データ取得装置３０（睡眠質データ取得部）と、前記対象者の睡眠の質への影響因子に関する影響因子データを取得する睡眠環境データ取得装置１０及び生活行動データ取得装置２０（影響因子データ取得部）と、睡眠質データ取得装置３０で取得された前記睡眠質データ及び前記睡眠環境データ取得装置１０及び生活行動データ取得装置２０で取得された前記影響因子データを分析することにより、前記影響因子データの各項目と前記睡眠質データとの関連性に関する関連性データを作成すると共に前記睡眠質データに対する前記影響因子データの各項目の寄与率を算出する分析部１４０と、前記関連性データ及び前記寄与率に基づいて前記対象者の睡眠の質を向上させるためのアドバイスを生成するアドバイス生成部１５０と、前記アドバイス生成部１５０で生成された前記アドバイスを前記対象者へ提供するアドバイス提供装置４０と、を具備するものである。
このように構成することにより、対象者に適した効果的な睡眠に関するアドバイスを提供することができる。
【００７２】
また、前記分析部１４０は、前記睡眠環境データ取得装置１０及び生活行動データ取得装置２０で取得された前記影響因子データの各項目を正規化し、正規化された前記影響因子データの各項目の値を用いて前記睡眠質データを重回帰分析することにより、前記寄与率を算出するものである。
このように構成することにより、より的確なアドバイスを提供することができる。
【００７３】
また、前記アドバイス生成部１５０は、前記寄与率のより大きい前記影響因子データの項目について優先的に前記アドバイスを生成するものである。
このように構成することにより、より効果的なアドバイスを提供することができる。
【００７４】
また、前記影響因子データは、前記対象者の睡眠環境に関する睡眠環境データを含むものである。
このように構成することにより、睡眠環境に関するアドバイス（睡眠環境用アドバイス）を提供することができる。
【００７５】
また、前記アドバイス生成部１５０は、前記睡眠質データが最も優れているときの前記睡眠環境データの値について前記アドバイスを生成するものである。
このように構成することにより、睡眠質データに対する睡眠環境データの最適値を提供することができる。
【００７６】
また、前記影響因子データは、前記対象者の生活行動に関する生活行動データを含むものである。
このように構成することにより、生活行動に関するアドバイス（生活行動用アドバイス）を提供することができる。
【００７７】
また、本実施形態に係る睡眠アドバイスシステム１は、前記アドバイスに沿って睡眠環境を制御する睡眠環境制御装置５０（睡眠環境制御部）を具備するものである。
このように構成することにより、アドバイスの実行を補助及び促進することができる。
【００７８】
なお、本実施形態に係る睡眠環境データ及び生活行動データは、本発明に係る影響因子データの一形態である。
また、本実施形態に係る睡眠環境データ取得装置１０及び生活行動データ取得装置２０は、本発明に係る影響因子データ取得部の一形態である。
【００７９】
以上、本発明の実施形態を説明したが、本発明は上記構成に限定されるものではなく、特許請求の範囲に記載された発明の範囲内で種々の変更が可能である。
【００８０】
例えば、本実施形態においては、睡眠アドバイスの提供のために影響因子データとして睡眠環境データと生活行動データの両方を用いるものとしたが、本発明はこれに限定されるものではなく、睡眠環境データと生活行動データのいずれか一方を用いるものであってもよい。
【００８１】
また、本実施形態においては、睡眠アドバイスの提供のために睡眠質データとして客観睡眠質データと主観睡眠質データの両方を用いるものとしたが、本発明はこれに限定されるものではなく、客観睡眠質データと主観睡眠質データいずれか一方を用いるものであってもよい。
【００８２】
また、図２に示すデータの蓄積、及び図３及び図４に示す睡眠アドバイスの提供に係る制御において、睡眠環境データ、生活行動データ及び睡眠質データの項目は一例であって、これらに限定されるものではない。
【００８３】
また、睡眠環境データ、生活行動データ及び睡眠質データの取得手段は、限定されるものではなく、あらゆる手段を採用することができる。
【００８４】
また、本実施形態に係る睡眠アドバイスシステム１は、睡眠環境制御装置５０を具備するものとしたが、本発明はこれに限定されるものではなく、睡眠環境制御装置５０を必ずしも具備する必要はない。
【００８５】
次に、図８を用いて、本発明の第二実施形態に係る睡眠アドバイスシステム１の構成の概要について説明する。
【００８６】
図８に示す第二実施形態に係る睡眠アドバイスシステム２の構成が、第一実施形態に係る睡眠アドバイスシステム１の構成（図１参照）と異なる点は、入力装置６０をさらに具備する点である。よって以下では、睡眠アドバイスシステム２の構成のうち第一実施形態に係る睡眠アドバイスシステム１と同一の構成については、同一の符号を付して説明を省略する。
【００８７】
図８に示す入力装置６０は、対象者が睡眠に関する希望条件を入力するためのものである。入力装置６０としては、例えば携帯電話、スマートフォン、ウェアラブル端末が用いられる。入力装置６０は、アドバイス提供装置４０と一体的に構成されるものであってもよい。つまり、１つの装置（端末）で、睡眠アドバイスの受け取りと、希望条件の入力とを行うようにすることができる。
【００８８】
以下、図９及び図１０を参照して、第二実施形態に係る睡眠アドバイスシステム２の制御について説明する。図９に示す第二実施形態に係る睡眠アドバイスシステム２における制御の流れが、第一実施形態に係る睡眠アドバイスシステム１における制御の流れ（図３参照）と異なる主な点は、ステップＳ１１０とステップＳ１２０との間にステップＳ１１２及びステップＳ１１４の処理を行う点である。よって、以下では、主にステップＳ１１２及びステップＳ１１４について説明する。
【００８９】
ステップＳ１１０においてデータテーブルを作成後、ステップＳ１１２において、対象者の睡眠に関する希望条件が、当該対象者によって入力装置６０に入力される。具体的には、対象者は、どのような環境で睡眠を取りたいか（希望する睡眠環境）について条件を入力装置６０に入力する。例えば、対象者は、室温を２５．５〜２６．５℃にしたい、就寝時刻を１：００以降にしたい等の希望条件を入力装置６０に入力する。第二実施形態においては、対象者により、室温を２５．５〜２６．５℃にしたいとの希望条件が入力装置６０に入力されたとする。なお、対象者は、お酒を呑んだ日に睡眠質を良くしたい等の生活行動に関する希望条件を入力装置６０に入力することもできる。
【００９０】
ステップＳ１１４において、分析部１４０は、データテーブルから入力された条件に合致するデータを抽出する。具体的には、分析部１４０は、図１０に示すデータテーブルの過去のデータの中から、室温が２５．５〜２６．５℃である９月１日及び９月４日のデータを抽出する。
【００９１】
ステップＳ１２０において、分析部１４０は、抽出したデータ（図１０において下側のデータテーブル）に基づいてステップＳ１２１からステップＳ１２３までの処理（図５参照）を行うことで、睡眠環境データ及び生活行動データの各項目（室温以外の項目）と睡眠質データとの関連性（前記各項目がそれぞれ睡眠質データに与える影響）に関する関連性データを作成すると共に、睡眠質データに対する睡眠環境データ及び生活行動データの各項目の寄与率（睡眠質データに与える影響の度合い）を算出する。
【００９２】
その後は第一実施形態と同様に、ステップＳ１３０において睡眠アドバイスを作成及び提供（表示）し、ステップＳ１４０において睡眠環境を制御する。
【００９３】
このように、第二実施形態に係る睡眠アドバイスシステム２においては、睡眠環境や生活行動について条件を限定したときの睡眠アドバイスを対象者に提供する。したがって、その日の対象者の睡眠環境や生活行動に合う睡眠アドバイスを提供することができる。
【００９４】
以上の如く、第二実施形態に係る睡眠アドバイスシステム２においては、前記分析部１４０は、前記影響因子データの各項目に対する前記対象者の希望条件に合致するときの前記睡眠質データ及び前記影響因子データを抽出して、抽出した前記睡眠質データ及び前記影響因子データに基づいて前記関連性データを作成すると共に前記寄与率を算出するものである。
このように構成することにより、対象者の希望条件に合ったアドバイスを提供することができる。
【００９５】
以下、図１１及び図１２を参照して、第三実施形態に係る睡眠アドバイスシステム３の制御について説明する。なお、睡眠アドバイスシステム３の構成は、第二実施形態に係る睡眠アドバイスシステム２の構成（図８参照）と同じである。図１１に示す第三実施形態に係る睡眠アドバイスシステム２における制御の流れが、第一実施形態に係る睡眠アドバイスシステム１における制御の流れ（図３参照）と異なる主な点は、ステップＳ１１０とステップＳ１２０との間にステップＳ１１６及びステップＳ１１８の処理を行う点である。よって、以下では、主にステップＳ１１６及びステップＳ１１８について説明する。
【００９６】
ステップＳ１１０においてデータテーブルを作成後、ステップＳ１１６において、対象者により、入力装置６０に、改善したい睡眠質の項目（改善期待条件）が入力される。例えば、対象者は、寝つき時間を短くしたい、目覚めを良くしたい等の改善期待条件を入力装置６０に入力する。第三実施形態においては、対象者により、寝つき時間を短くしたいとの改善期待条件を入力装置６０に入力されたとする。
【００９７】
ステップＳ１１８において、分析部１４０は、データテーブルから入力された改善期待条件に合致するデータを抽出する。具体的には、分析部１４０は、図１２に示すデータテーブルの過去の睡眠質データの中から、寝つき時間のデータを抽出する。
【００９８】
ステップＳ１２０において、分析部１４０は、抽出したデータ（図１２において下側のデータテーブル）に基づいてステップＳ１２１からステップＳ１２３までの処理（図５参照）を行うことで、睡眠環境データ及び生活行動データの各項目と寝つき時間との関連性（前記各項目がそれぞれ寝つき時間に与える影響）に関する関連性データを作成すると共に、寝つき時間に対する睡眠環境データ及び生活行動データの各項目の寄与率（寝つき時間に与える影響の度合い）を算出する。
【００９９】
その後は第一実施形態と同様に、ステップＳ１３０において睡眠アドバイスを作成及び提供（表示）し、ステップＳ１４０において睡眠環境を制御する。
【０１００】
このように、第三実施形態に係る睡眠アドバイスシステム３においては、睡眠質の項目のうち特定の項目（第三実施形態においては、寝つき時間）に限定したときの睡眠アドバイスを対象者に提供する。したがって、対象者が改善したい内容について睡眠アドバイスを提供することができる。なお、前記特定の項目は、複数の項目であってもよい。
【０１０１】
以上の如く、第三実施形態に係る睡眠アドバイスシステム３においては、前記分析部１４０は、前記睡眠質データの特定の項目及び前記影響因子データに基づいて前記関連性データを作成すると共に前記寄与率を算出するものである。
このように構成することにより、睡眠質データの特定の項目についてのアドバイスを提供することができる。
【符号の説明】
【０１０２】
１      睡眠アドバイスシステム
１０    睡眠環境データ取得装置
２０    生活行動データ取得装置
３０    睡眠質データ取得装置
４０    アドバイス提供装置
５０    睡眠環境制御装置
６０    入力装置
１００  サーバー
１４０  分析部
１５０  アドバイス生成部
【図１】
0006564308.tif 000002
【図２】
0006564308.tif 000003
【図３】
0006564308.tif 000004
【図４】
0006564308.tif 000005
【図５】
0006564308.tif 000006
【図６】
0006564308.tif 000007
【図７】
0006564308.tif 000008
【図８】
0006564308.tif 000009
【図９】
0006564308.tif 000010
【図１０】
0006564308.tif 000011
【図１１】
0006564308.tif 000012
【図１２】
0006564308.tif 000013